(57)【要約】  【課題】  ヒートローラのローラ面の温度のばらつきを低減させることのできる加熱装置を提供する。  【解決手段】  シートに当接する加熱ローラと、前記加熱ローラの前記シートに当接する領域を加熱する熱源と、前記加熱ローラの前記熱源により加熱される領域の温度を検知する第１の温度検知部と、前記加熱ローラにより加熱可能な最大サイズのシートの前記加熱ローラの回転軸方向における少なくとも一方の端部が当接する位置近傍の前記加熱ローラの温度を検知する第２の温度検知部と、前記第１および第２の温度検知部により検知された温度に基づいて前記熱源を制御する制御部とを有する。  【選択図】  図２
2005128200.tif 000002
【特許請求の範囲】
【請求項１】
シートに当接する加熱ローラと、
前記加熱ローラの前記シートに当接する領域を加熱する熱源と、
前記加熱ローラの前記熱源により加熱される領域の温度を検知する第１の温度検知部と、
前記加熱ローラにより加熱可能な最大サイズのシートの前記加熱ローラの回転軸方向における少なくとも一方の端部が当接する位置近傍の前記加熱ローラの温度を検知する第２の温度検知部と、
前記第１および第２の温度検知部により検知された温度に基づいて前記熱源を制御する制御部と
を有する加熱装置。
【請求項２】
請求項１に記載の加熱装置において、
前記制御部は、前記第２の温度検知部により検知した温度に基づいて前記熱源を制御するための目標温度を設定する加熱装置。
【請求項３】
請求項２に記載の加熱装置において、
前記第２の温度検知部は、前記最大サイズのシートの前記少なくとも一方の端部が前記加熱ローラに当接する位置から前記回転軸方向において±５ｍｍの範囲内に配置されており、
前記制御部は、前記第２の温度検知部により検知した温度が所定の適正温度範囲における下限温度以下であるとき、前記目標温度を前記所定の適正温度範囲における上限温度と前記下限温度との平均温度から前記上限温度までの範囲に設定する加熱装置。
【請求項４】
請求項２に記載の加熱装置において、
前記第２の温度検知部は、前記最大サイズのシートの前記少なくとも一方の端部が前記加熱ローラに当接する位置から前記回転軸方向において±５ｍｍの範囲内に配置されており、
前記制御部は、前記第２の温度検知部により検知した温度が所定の適正温度範囲内にあるとき、前記目標温度を前記所定の適正温度範囲における上限温度と下限温度との平均温度に設定する加熱装置。
【請求項５】
請求項２に記載の加熱装置において、
前記第２の温度検知部は、前記最大サイズのシートの前記少なくとも一方の端部が前記加熱ローラに当接する位置から前記回転軸方向において±５ｍｍの範囲内に配置されており、
前記制御部は、前記第２の温度検知部により検知した温度が所定の適正温度範囲における上限温度以上であるとき、前記目標温度を前記所定の適正温度範囲における下限温度から前記下限温度と上限温度との平均温度までの範囲に設定する加熱装置。
【請求項６】
請求項２に記載の加熱装置において、
前記第２の温度検知部は、前記最大サイズのシートの前記少なくとも一方の端部が前記加熱ローラに当接する位置から前記回転軸方向において５ｍｍ以上外側に配置されており、
前記制御部は、前記第２の温度検知部により検知した温度が所定の適正温度範囲における下限温度以下であるとき、前記目標温度を前記所定の適正温度範囲における前記下限温度と上限温度との平均温度から前記上限温度までの範囲に設定する加熱装置。
【請求項７】
請求項２に記載の加熱装置において、
前記第２の温度検知部は、前記最大サイズのシートの前記少なくとも一方の端部が前記加熱ローラに当接する位置から前記回転軸方向において５ｍｍ以上外側に配置されており、
前記制御部は、前記第２の温度検知部により検知した温度が所定の適正温度範囲における下限温度から前記所定の適正温度範囲における上限温度と前記加熱ローラ周辺部品の耐熱温度との平均温度までの範囲内にあるとき、
前記目標温度を前記所定の適正温度範囲における前記下限温度と上限温度との平均温度に設定する加熱装置。
【請求項８】
請求項２に記載の加熱装置において、
前記第２の温度検知部は、前記最大サイズのシートの前記少なくとも一方の端部が前記加熱ローラに当接する位置から前記回転軸方向において５ｍｍ以上外側に配置されており、
前記制御部は、前記第２の温度検知部により検知した温度が所定の適正温度範囲における上限温度と前記加熱ローラ周辺部品の耐熱温度との平均温度から前記加熱ローラ周辺部品の耐熱温度までの範囲内にあるとき、
前記目標温度を前記所定の適正温度範囲における下限温度から前記所定の適正温度範囲における前記下限温度と上限温度との平均温度までの範囲に設定する加熱装置。
【請求項９】
請求項２に記載の加熱装置において、
前記第２の温度検知部は、前記最大サイズのシートの前記少なくとも一方の端部が前記加熱ローラに当接する位置から前記回転軸方向において５ｍｍ以上外側に配置されており、
前記制御部は、前記第２の温度検知部により検知した温度が前記加熱ローラ周辺部品の耐熱温度以上であるとき、
前記熱源による加熱動作を停止もしくは抑制させる加熱装置。
【発明の詳細な説明】
【技術分野】
【０００１】
本発明は、加熱装置に関するものである。
【背景技術】
【０００２】
シートへの画像形成時の定着処理に使用される加熱装置において、薄肉円筒形状のヒートローラによる加熱定着を行う場合に、ヒートローラの長手方向（ローラの回転軸方向）全域を一様に加熱してＡ４−Ｒサイズ等の幅（シートを搬送する方向と直交する方向におけるサイズ）がヒートローラの長手方向のサイズよりも狭いシートを印刷すると、ヒートローラのローラ面のうちシートに接しない部分は温度がシートに奪われることがないので、過熱状態になる場合がある。
【０００３】
このような過熱状態となることを抑制するため、ヒートローラを加熱するための熱源をＡ４−Ｒサイズのシートの幅前後の大きさで分割し、センタ部分（シートが通過する領域）とサイド部分（シートが通過しない領域）とが同一温度になるように加熱制御することが一般的に行われている（例えば、特許文献１から５参照。）。
【０００４】
具体的に、ヒートローラの熱源としてはＩＨ（Ｉｎｄｕｃｔｉｏｎ  Ｈｅａｔｉｎｇ）を使用している。この熱源は、Ａ４−Ｒサイズのシートの幅と略同じサイズのセンタ部熱源と、Ａ３サイズのシートの幅まで加熱できるようにセンタ部熱源の両サイドにそれぞれ配置されているサイド部熱源の３つから構成されている。
【０００５】
ヒートローラの長手方向におけるセンタ部熱源により加熱される領域の中央近傍にはセンタ温度センサが配置されている。センタ部熱源は、センタ温度センサによる検知温度に基づいて制御される。また、ヒートローラの長手方向におけるサイド部熱源により加熱される領域の中央近傍にはサイド温度センサが配置されている。サイド部熱源は、サイド温度センサによる検知温度に基づいて制御される。なお、サイド部熱源は２つに分かれているが、電気的には繋がっているため、サイド温度センサはいずれか一方のサイド部熱源による加熱領域近傍に配置されており、２つのサイド部熱源は１つのサイド温度センサによる検知温度に基づいて制御される。
【０００６】
一般的には、センタ温度センサによる検知温度とサイド温度センサによる検知温度とが略同じになるように加熱制御される。
【０００７】
また、ヒートローラの長手方向における、ヒートローラが対応可能な最大サイズ（例えば、Ａ３サイズ）のシートの端部（幅）位置、あるいはその端部位置の外側にエッジ温度センサを配置している。このエッジ温度センサによる検知温度（ヒートローラ端部の温度）が所定の温度値を超えた場合には、加熱動作を停止させるなど、安全装置として用いられている。
【特許文献１】特開平２−２５４４８１号公報  （第２頁、第１図）
【特許文献２】特開平２−２６２１７７号公報  （第２頁、第１図）
【特許文献３】特開平６−１１９９９号公報  （第２―４頁、第１図）
【特許文献４】特開２００１−２４９５７０号公報  （第４―８頁、第２図）
【特許文献５】特開２００２−３５７９７７号公報  （第５―１２頁、第１図）
【発明の開示】
【発明が解決しようとする課題】
【０００８】
従来の温度制御においては、印刷待機中〜印刷開始直後の間、ヒートローラの長手方向における両端部の温度は低下（ヒートローラの両端部はベアリング、駆動ギヤ等によって熱を奪われ易いため温度が低下している。）しており、印刷開始直後の画像に関してはシートの幅方向における端部の定着不良が発生する場合がある（図１５の破線参照）。
【０００９】
一方、複数枚のシートに連続して印刷動作を行う場合、ヒートローラの長手方向におけるシートの幅方向端部よりも外側部分は、シートに触れないため熱を奪われず、温度が上昇し易い。このような温度上昇は、高温オフセットを生ずる原因ともなる。さらに、ヒートローラ、ベアリングおよび駆動ギヤ等の耐熱温度を超えると部品に不具合が生じる場合もある（図１６の破線参照）。
【００１０】
このような場合、ヒートローラによる加熱動作を停止して印刷を中断し、温度低下を待つ必要があり、生産性の低下を招いてしまう。
【００１１】
上述のような問題が発生しないよう考慮して熱源の全長が決められるが、薄肉化されている等、熱容量が小さいヒートローラでは両者の問題を共に解消することは困難である。
【００１２】
本発明は上述した問題点を解決するためになされたものであり、ヒートローラのローラ面の温度のばらつきを低減させることのできる加熱装置を提供することを目的とする。
【課題を解決するための手段】
【００１３】
上述した課題を解決するため、本発明に係る加熱装置は、シートに当接する加熱ローラと、前記加熱ローラの前記シートに当接する領域を加熱する熱源と、前記加熱ローラの前記熱源により加熱される領域の温度を検知する第１の温度検知部と、前記加熱ローラにより加熱可能な最大サイズのシートの前記加熱ローラの回転軸方向における少なくとも一方の端部が当接する位置近傍の前記加熱ローラの温度を検知する第２の温度検知部と、前記第１および第２の温度検知部により検知された温度に基づいて前記熱源を制御する制御部とを有する。
【００１４】
また、上述のような加熱装置において、前記制御部は、前記第２の温度検知部により検知した温度に基づいて前記熱源を制御するための目標温度を設定するようにしてもよい。
【００１５】
従来の加熱装置では、ヒートローラを加熱する熱源が複数に分割されているような場合でも、全ての熱源が同じ目標温度になるように温度制御を行っていたが、上述のような構成とすることにより、一部の熱源（例えば、ヒートローラ中央部分の熱源）は常時同じ目標温度で温度制御し、他の熱源（例えば、ヒートローラ端部（サイド部）の熱源）は第２の温度検知部により検知した温度に基づいて温度制御の目標温度を変化させるといったことが可能となる。これにより、より適切且つ効果的な温度制御が可能となり、ヒートローラのローラ面の温度のばらつきを低減させることができる。
【００１６】
さらに、このような構成の加熱装置において、前記第２の温度検知部は、前記最大サイズのシートの前記少なくとも一方の端部が前記加熱ローラに当接する位置から前記回転軸方向において±５ｍｍの範囲内に配置されており、前記制御部は、前記第２の温度検知部により検知した温度が所定の適正温度範囲における下限温度以下であるとき、前記目標温度を前記所定の適正温度範囲における上限温度と前記下限温度との平均温度から前記上限温度までの範囲に設定することもできる。
【００１７】
また、上述のような構成の加熱装置において、前記第２の温度検知部は、前記最大サイズのシートの前記少なくとも一方の端部が前記加熱ローラに当接する位置から前記回転軸方向において±５ｍｍの範囲内に配置されており、前記制御部は、前記第２の温度検知部により検知した温度が所定の適正温度範囲内にあるとき、前記目標温度を前記所定の適正温度範囲における上限温度と下限温度との平均温度に設定するようにしてもよい。
【００１８】
なお、このような構成の加熱装置において、前記第２の温度検知部は、前記最大サイズのシートの前記少なくとも一方の端部が前記加熱ローラに当接する位置から前記回転軸方向において±５ｍｍの範囲内に配置されており、前記制御部は、前記第２の温度検知部により検知した温度が所定の適正温度範囲における上限温度以上であるとき、前記目標温度を前記所定の適正温度範囲における下限温度から前記下限温度と上限温度との平均温度までの範囲に設定することも可能である。
【００１９】
この他、上述のような加熱装置において、前記第２の温度検知部は、前記最大サイズのシートの前記少なくとも一方の端部が前記加熱ローラに当接する位置から前記回転軸方向において５ｍｍ以上外側に配置されており、前記制御部は、前記第２の温度検知部により検知した温度が所定の適正温度範囲における下限温度以下であるとき、前記目標温度を前記所定の適正温度範囲における前記下限温度と上限温度との平均温度から前記上限温度までの範囲に設定する構成とすることもできる。
【００２０】
また、上述のような加熱装置において、前記第２の温度検知部は、前記最大サイズのシートの前記少なくとも一方の端部が前記加熱ローラに当接する位置から前記回転軸方向において５ｍｍ以上外側に配置されており、前記制御部は、前記第２の温度検知部により検知した温度が所定の適正温度範囲における下限温度から前記所定の適正温度範囲における上限温度と前記加熱ローラ周辺部品の耐熱温度との平均温度までの範囲内にあるとき、前記目標温度を前記所定の適正温度範囲における前記下限温度と上限温度との平均温度に設定することが好ましい。
【００２１】
もちろん、上述のような構成の加熱装置において、前記第２の温度検知部は、前記最大サイズのシートの前記少なくとも一方の端部が前記加熱ローラに当接する位置から前記回転軸方向において５ｍｍ以上外側に配置されており、前記制御部は、前記第２の温度検知部により検知した温度が所定の適正温度範囲における上限温度と前記加熱ローラ周辺部品の耐熱温度との平均温度から前記加熱ローラ周辺部品の耐熱温度までの範囲内にあるとき、前記目標温度を前記所定の適正温度範囲における下限温度から前記所定の適正温度範囲における前記下限温度と上限温度との平均温度までの範囲に設定することもできる。
【００２２】
この他、上述のような加熱装置において、前記第２の温度検知部は、前記最大サイズのシートの前記少なくとも一方の端部が前記加熱ローラに当接する位置から前記回転軸方向において５ｍｍ以上外側に配置されており、前記制御部は、前記第２の温度検知部により検知した温度が前記加熱ローラ周辺部品の耐熱温度以上であるとき、前記熱源による加熱動作を停止もしくは抑制させる構成とすることもできる。
【００２３】
また、上述のような加熱装置を備え、前記加熱装置によりシートへのトナー像の定着動作を行う画像形成装置を構成することも可能である。
【発明の効果】
【００２４】
以上に詳述したように本発明によれば、ヒートローラのローラ面の温度のばらつきを低減させることのできる加熱装置を提供することができる。
【発明を実施するための最良の形態】
【００２５】
以下、本発明の実施の形態について図面を参照しつつ説明する。
（第１の実施の形態）
図１は本発明の第１の実施の形態による加熱装置およびこれを備えた画像形成装置を説明するための図、図２はヒートローラ（後述）による加熱動作を実現するための機能ブロック図である。
【００２６】
本実施の形態による画像形成装置１は、シート供給ユニット１１、感光体ドラム１２、クリーナ１３、除電ランプ１４、帯電チャージャ１５、現像器１６、搬送ベルト１７、プレスローラ１８、ヒートローラ（加熱ローラ）１９およびレーザユニットＬを備えている。なお、ヒートローラ１９とプレスローラ１８とから定着器が構成されている。
【００２７】
また、同図に示すように原稿読取光学系２０を備えることによって、さらにスキャナとしての役割および複写機としての役割を有する画像処理装置を構成することも可能である。
【００２８】
同図に示す画像形成装置１の動作について簡単に説明する。
【００２９】
シート供給ユニット１１に収納されているシートは、不図示のピックアップローラによりシート搬送路に供給される。帯電チャージャ１５により感光体ドラム１２の感光面が均一に帯電されると、この感光面に対してレーザユニットＬから画像変調されたレーザビームによる露光が行われる。これにより感光面に静電潜像が形成される。
【００３０】
次に、静電潜像が形成された感光体ドラムの感光面に対して現像機１６による現像処理が施される。これにより、感光面の露光部にはトナーが付着し、感光面上にトナー像が形成される。
【００３１】
感光面上に形成されたトナー像は、転写・剥離チャージャＣまで搬送されたシートのシート面に転写され、トナー像が転写されたシートは感光体ドラム１２の感光面から剥離される。
【００３２】
感光面から剥離されたシートは、搬送ベルト１７により定着器へと搬送される。定着器に搬送されたシートは、ヒートローラ１９とプレスローラ１８との間で挟持され、ヒートローラ１９に加熱されることによってシート面にトナー像が定着される。
【００３３】
なお、本実施の形態においても、ヒートローラ１９の長手方向（回転軸方向）にはサイド部熱源ＣＳとセンタ部熱源ＣＣとが配列されており、これらの熱源により加熱されるヒートローラ１９のローラ面の温度を検知するためにサイド温度センサ（第１の温度検知部）Ｓ２、センタ温度センサＳ１、エッジ温度センサ（第２の温度検知部）Ｓ３が配置されている（図２参照）。これら熱源およびセンサはヒートローラ１９に対して従来の構成と同様な位置関係で配列されている。なお、これらサイド温度センサＳ２、センタ温度センサＳ１およびエッジ温度センサＳ３はサーミスタから構成されている。
【００３４】
これらサイド温度センサＳ２、センタ温度センサＳ１、エッジ温度センサＳ３により検知された温度情報は、ＣＰＵを含む温度制御回路４へと送られる。
【００３５】
温度制御回路４は、これらの温度センサにより検知した温度情報を受け取ると、これらの温度情報に基づいて電力設定信号もしくは電力ＯＮ／ＯＦＦ信号をＩＨ回路３に送信する。
【００３６】
ＩＨ回路３では、温度制御回路４から受け取った各種信号をフォトカプラ３３により受信する。なお、フォトカプラ３３は、エラー信号を温度制御回路４に送信する役割も有している。
【００３７】
フォトカプラ３３にて受信した信号は、ＣＰＵを含む制御回路３２を介してＩＨ電源／駆動回路３１へと送られる。そして、ＩＨ電源／駆動回路３１によってサイド部熱源ＣＳおよびセンタ部熱源ＣＣによる加熱動作が制御される（すなわち、ヒートローラ１９のローラ面の温度が制御される。）。これら温度制御回路４およびＩＨ回路３から制御部が構成されている。
【００３８】
図３および図４に、当該ヒートローラで対応可能な最大サイズ（例えば、Ａ３サイズ）のシートと各温度センサとの位置関係を示す。図４に示すように、エッジ温度センサＳ３は最大サイズのシートの少なくとも一方の端部が加熱ローラ１９に当接する位置から加熱ローラ１９の回転軸方向において±５ｍｍの範囲内に配置されている。
【００３９】
本実施の形態による加熱装置では、シートへのトナーの適正な定着温度範囲の下限温度をＡ℃（例えば、１６０℃）、上限温度をＢ℃（例えば、２００℃）とした場合、エッジ温度センサＳ３により検知された温度に基づいて、サイド部熱源の目標温度を図５に示す表のように設定する。以下の目標温度の設定は、温度制御回路４およびＩＨ回路３からなる制御部により行われる。
【００４０】
具体的には、エッジ温度センサＳ３により検知した温度が下限温度Ａ℃（１６０℃）以下である場合（図５および図６における領域（１）に該当）は、熱源を温度制御する目標温度を上限温度Ｂ℃（２００℃）と下限温度Ａ℃（１６０℃）との平均温度（１８０℃）から上限温度Ｂ℃（２００℃）までの範囲に設定する。
【００４１】
次に、エッジ温度センサＳ３により検知した温度が所定の適正温度範囲（１６０℃〜２００℃）内にある場合は（図５および図７における領域（２）に該当）、目標温度を上限温度Ｂ℃（２００℃）と下限温度Ａ℃（１６０℃）との平均温度（１８０℃）に設定する。
【００４２】
さらに、エッジ温度センサＳ３により検知した温度が上限温度Ｂ℃（２００℃）以上である場合は（図５および図８における領域（３）に該当）、目標温度を下限温度Ａ℃（１６０℃）から下限温度と上限温度との平均温度（１８０℃）までの範囲に設定する。
【００４３】
図９は、本装置におけるヒートローラ１９の温度制御について説明するための図である。ヒートローラ１９はセンタ温度センサＳ１とサイド温度センサＳ２で温度を検知し、センタ及びサイド温度センサ近傍のヒートローラ温度は、熱源の出力により図９に示す目標温度になるよう温度制御される。
【００４４】
センタ部熱源ＣＣの目標温度はトナーの定着温度の最適値（１８０℃）に固定されており、サイド部熱源ＣＳの目標温度はエッジ温度センサにより検知される温度に基づいて規定される。すなわち、サイド部熱源ＣＳの温度制御は、エッジ温度センサおよびサイド温度センサによる検出温度に基づいて行われる。
【００４５】
以上のように、レディ中やプリント開始直後などのエッジ温度センサＳ３による検知温度が低いとき（例えば、１６０℃以下）は、サイド部熱源ＣＳの目標温度を高めに設定（例えば、１９０℃）するので、エッジ温度センサＳ３により検知されるヒートローラ温度は適正な定着温度範囲内となり、プリント開始直後の対応可能な最大サイズのシートの（例えば、Ａ３）端部の定着不良は発生しない（図１５の実線参照）。
【００４６】
また、Ａ３サイズ等の連続プリント時などのエッジ温度センサＳ３による検知温度が高いとき（例えば、２００℃以上）は、サイド部熱源ＣＳの目標温度を低めに設定（例えば、１７０℃）するので、ヒートローラ端部における温度上昇は抑制される（図１６の実線参照）。
【００４７】
なお、エッジ温度センサＳ３による検知温度が中間的な温度であるとき（例えば、１６０〜２００℃）は、サイド部熱源ＣＳの目標温度をセンタ部熱源ＣＣと同じ目標温度（１８０℃）にする。
（第２の実施の形態）
次に、本発明の第２の実施の形態について説明する。
【００４８】
本実施の形態は、上述の第１の実施の形態の変形例である。以下、上述の第１の実施の形態と構成が同様である部分については同一符号を付し、説明は割愛する。
【００４９】
本実施の形態による加熱装置では、図１０に示すように、エッジ温度センサの位置を最大紙サイズ（Ａ３サイズ等）幅の端を０とした場合、５ｍｍ以上外側に配置されている（すなわち、最大サイズのシートの少なくとも一方の端部が加熱ローラに当接する位置から加熱ローラの回転軸方向において５ｍｍ以上外側に配置されている。）。
【００５０】
ここでは、シートへのトナーの適正な定着温度範囲の下限温度をＡ℃（例えば、１６０℃）、上限温度をＢ℃（例えば、２００℃）とした場合、加熱ローラ１９及び加熱ローラの端部周辺の部品（ベアリングＢＲ、不図示の駆動ギヤ等）の耐熱温度がＣ℃（例えば、２４０℃）であるとき、エッジ温度センサＳ３による検知温度に基づいて、サイド部熱源ＣＳの目標温度を図１１に示す表のように設定する。
【００５１】
具体的には、エッジ温度センサＳ３により検知した温度が下限温度Ａ℃（１６０℃）以下である場合（図１１および図１２における領域（１）に該当）は、熱源を温度制御する目標温度を下限温度と上限温度との平均温度（１８０℃）から上限温度Ｂ℃（２００℃）までの範囲に設定する。
【００５２】
次に、エッジ温度センサＳ３により検知した温度が所定の適正温度範囲（１６０℃〜２００℃）における下限温度Ａ℃（１６０℃）から上限温度Ｂ℃（２００℃）と加熱ローラ周辺部品の耐熱温度Ｃ℃（２４０℃）との平均温度までの範囲内にある場合（図１１および図１３における領域（２）に該当）は、目標温度を下限温度Ａ℃と上限温度Ｂ℃との平均温度前後（例えば、１６０℃〜１８０℃）に設定する。
【００５３】
さらに、エッジ温度センサＳ３により検知した温度が上限温度Ｂ℃（２００℃）と加熱ローラ周辺部品の耐熱温度Ｃ℃（２４０℃）との平均温度から加熱ローラ周辺部品の耐熱温度Ｃ℃（２４０℃）までの範囲（２２０℃〜２４０℃）内にある場合（図１１および図１４における領域（３）に該当）は、目標温度を下限温度Ａ℃（１６０℃）から適正温度範囲（１６０℃〜２００℃）における下限温度と上限温度との平均温度（１８０℃）までの範囲に設定する。
＿そして、エッジ温度センサＳ３により検知した温度が加熱ローラの端部周辺の部品（ベアリングＢＲ、不図示の駆動ギヤ等）の耐熱温度Ｃ℃（例えば、２４０℃）以上である場合、熱源による加熱動作を停止もしくは抑制させる。なお、耐熱温度Ｃは、加熱ローラ、ベアリングＢＲ、不図示の駆動ギヤ等の耐熱温度のうち、もっとも低い温度のものとすることが好ましい。
【００５４】
以上のように、上述の各実施の形態によれば、シートに当接する加熱ローラと、加熱ローラのシートに当接する領域を加熱する熱源と、加熱ローラの熱源により加熱される領域の温度を検知する第１の温度検知部と、加熱ローラにより加熱可能な最大サイズのシートの加熱ローラの回転軸方向における少なくとも一方の端部が当接する位置近傍の加熱ローラの温度を検知する第２の温度検知部と、第１および第２の温度検知部により検知された温度に基づいて熱源を制御する制御部とを有する加熱装置を提供することができる。
【００５５】
なお制御部は、第２の温度検知部により検知した温度に基づいて熱源を制御するための目標温度を設定している。換言すれば、エッジ温度センサの検知温度により、サイド温度センサ位置での制御温度（目標温度）を切り替えることで、ヒートローラの回転軸方向における温度分布をある一定範囲内に収める構成となっている。
【００５６】
また、上述の実施の形態では、上述のような加熱装置を備え、この加熱装置によりシートへのトナー像の定着動作を行う画像形成装置が開示されている。
【図面の簡単な説明】
【００５７】
【図１】本発明の第１の実施の形態による加熱装置およびこれを備えた画像形成装置を説明するための図である。
【図２】ヒートローラによる加熱動作を実現するための機能ブロック図である。
【図３】ヒートローラで対応可能な最大サイズのシートと各温度センサとの位置関係を示す図である。
【図４】ヒートローラで対応可能な最大サイズのシートと各温度センサとの位置関係を示す図である。
【図５】エッジ温度センサにより検知された温度に基づくサイド部熱源の目標温度の設定について説明するための図である。
【図６】エッジ温度センサにより検知された温度に基づくサイド部熱源の目標温度の設定について説明するための図である。
【図７】エッジ温度センサにより検知された温度に基づくサイド部熱源の目標温度の設定について説明するための図である。
【図８】エッジ温度センサにより検知された温度に基づくサイド部熱源の目標温度の設定について説明するための図である。
【図９】本装置におけるヒートローラの温度制御について説明するための図である。
【図１０】本発明の第２の実施の形態による加熱装置におけるヒートローラで対応可能な最大サイズのシートと各温度センサとの位置関係を示す図である。
【図１１】エッジ温度センサにより検知された温度に基づくサイド部熱源の目標温度の設定について説明するための図である。
【図１２】エッジ温度センサにより検知された温度に基づくサイド部熱源の目標温度の設定について説明するための図である。
【図１３】エッジ温度センサにより検知された温度に基づくサイド部熱源の目標温度の設定について説明するための図である。
【図１４】エッジ温度センサにより検知された温度に基づくサイド部熱源の目標温度の設定について説明するための図である。
【図１５】本発明の実施の形態による加熱装置での温度分布と、従来の加熱装置での温度分布とを比較した図である。
【図１６】本発明の実施の形態による加熱装置での温度分布と、従来の加熱装置での温度分布とを比較した図である。
【符号の説明】
【００５８】
１９  ヒートローラ、３  ＩＨ回路、４  温度制御回路、ＣＣ  センタ部熱源、ＣＳ  サイド部熱源、Ｓ１  センタ温度センサ、Ｓ２  サイド温度センサ、Ｓ３  エッジ温度センサ。
【図１】
2005128200.tif 000003
【図２】
2005128200.tif 000004
【図３】
2005128200.tif 000005
【図４】
2005128200.tif 000006
【図５】
2005128200.tif 000007
【図６】
2005128200.tif 000008
【図７】
2005128200.tif 000009
【図８】
2005128200.tif 000010
【図９】
2005128200.tif 000011
【図１０】
2005128200.tif 000012
【図１１】
2005128200.tif 000013
【図１２】
2005128200.tif 000014
【図１３】
2005128200.tif 000015
【図１４】
2005128200.tif 000016
【図１５】
2005128200.tif 000017
【図１６】
2005128200.tif 000018